(57)【特許請求の範囲】
【請求項１】
ボトル本体の胴部側面に把手取付け用凹部を形成すると共に、握り部と該握り部の上下から横方向に延設した取付け腕とからなる把手体を前記取付け腕の端部を把手取付け用凹部の奥部壁面と係合させて取付けてなる把手付きプラスチックボトルであって、該把手体の上下の取付け腕の端部上面に、ほぼ垂直に立ち上がる係止突部（３２１，３３１）を設け、該係止突部を把手取付け用凹部（２）の奥部に埋め込むようにして該把手体をボトル本体に取付けてあり、かつ、下取付け腕の端面が上取付け腕の端面よりもボトル外壁側に位置していることを特徴とする把手付きプラスチックボトル。
【請求項２】
把手体の下取付け腕の端部に上向きの係止突部を形成し、該下取付け腕の下面には係止突部を設けないようにした請求項１記載の把手付きプラスチックボトル。
【発明の詳細な説明】
【０００１】
【発明の属する技術分野】
本発明はボトル本体の胴部の把手取付け用凹部に把手体が取付けてある把手付きプラスチックボトルに関する。
【０００２】
【従来の技術】
プラスチック製中空容器は軽量性及び耐衝撃性に優れていることから、各種液体に対する包装容器として広く使用されており、その中でもポリエチレンテレフタレートに代表されるプラスチックを延伸ブロー成形してなり、把手体をボトル本体に取付けてある把手付きプラスチックボトルは透明性、機械的強度、ガスバリヤー性に優れており、さらにその取扱いが容易である点からジュース、清涼飲料などの飲料充填用容器として広く用いられている。
【０００３】
これらボトルは、例えば図３に示すようにボトル本体１の胴部側面に把手取付け用凹部２０を形成すると共に、握り部３１０と、その握り部３１０に連接した取付け腕３２０とからなる把手体３０を前記取付け腕３２０の端部を把手取付け用凹部２０の奥部壁面２１と係合させて取付けてなる把手付きプラスチックボトルが提案されている。
【０００４】
【発明が解決しようとする課題】
しかし、上記従来の把手付きプラスチックボトルは、特に取付け腕の端部の下位置において奥部壁面が薄くなったり、十分に成形されずに取付け腕の端部との係合が外れやすいという問題があった。
【０００５】
【課題を解決するための手段】
本発明は前記の問題点を解決し、把手がボトル本体から外れにくい把手付きプラスチックボトルを提供することを目的とする。
【０００６】
前記の目的は以下の手段によって達成される。
すなわち、本発明はボトル本体の胴部側面に把手取付け用凹部を形成すると共に、握り部と該握り部の上下から横方向に延設した取付け腕とからなる把手体を前記取付け腕の端部を把手取付け用凹部の奥部壁面と係合させて取付けてなる把手付きプラスチックボトルであって、該把手体の上下の取付け腕の端部上面に、ほぼ垂直に立ち上がる係止突部（３２１，３３１）を設け、該係止突部を把手取付け用凹部（２）の奥部に埋め込むようにして該把手体をボトル本体に取付けてあり、かつ、下取付け腕の端面が上取付け腕の端面よりもボトル外壁側に位置していることを特徴とする把手付きプラスチックボトルを提案するものであり、把手体の下取付け腕の端部に上向き係止突部を形成し、該下取付け腕の下面には係止突部を設けないようにしたことを含む。
【０００７】
【発明の実施の形態】
以下、本発明を図面を参照してさらに詳細に説明する。
【０００８】
図１は本発明の把手付きプラスチックボトルの一例を示す一部切り欠いた正面図であり、図２は本発明において用いられる把手の一例を示す側面図である。
【０００９】
本発明は図１に示すように、ボトル本体１の側面に把手取付け用凹部２を形成し、握り部３１とその上下の取付け腕３２，３３及び該取付け腕３２，３３の端部の係止突部３２１，３３１を有する別体の把手３を、前記係止突部３２１，３３１を前記取付け用凹部２の奥部に埋め込むように取付けてある。
【００１０】
本発明において、ボトル本体１に取付けられる把手３は図２に示すように握り部３１と該握り部３１の上下端に形成した取付け腕３２，３３とからなり、上取付け腕３２の端部上面には係止突部３２１を有し、下取付け腕３３の端部の上面に係止突部３３１を有すると共に、下取付け腕の端面３９は把手３をボトル本体１の把手取付け用凹部２に取着させた場合に上取付け腕の端面３８よりもボトル外壁側の位置になるようにしてある。
【００１１】
下取付け腕の端面３９は上取付け腕の端面３８よりも０．５〜２．０ｍｍボトル外壁側にあることが望ましい。下取付け部の端面が０．５ｍｍ未満では下取付け腕３３の下面に接するボトル壁２１が薄くなり易いという問題があり好ましくなく、２．０ｍｍを越えると下取付け腕３３の上面端部に形成した係止突部３３１に絡み付くボトル壁２２の量が少なくなるという問題があり、いずれの場合も取付け強度が低下するので好ましくない。
すなわち、下取付け腕３３の端面３９が上取付け腕３２の端面３８よりも０．５〜２．０ｍｍボルト外壁側にあることにより、下取付け腕３３の下面に接するボトル壁２１と、係止突部３３１に絡み付くボトル壁２２とがバランス良く配分され馴染み易いので薄くなったりせず十分成形されて取付け強度が保持せられると考えられる。
【００１２】
本発明の把手付きプラスチックボトルを製造するためには、例えば図１に示すボトル本体１の外面に沿った形状のブロー成形金型内にあらかじめ把手３を、取付け腕３２，３３の端部が分割された金型内面に突出する状態にセットしておき、成形温度に加熱してあるパリソン４を金型に装入して金型を閉じ、パリソン４の口から高圧空気を吹き込んでブロー成形することにより、金型に沿ってボトル本体１を形成すると共にパリソン４は把手３の係止突部３２１，３３１及び取付け腕３２、３３の一部を包み込んで取付ける方法が好ましく採用できる。
【００１３】
下取付け腕の端面３９を上取付け腕の端面３８よりボトル外壁側に位置させることによりボトル成形時にパリソン４を風船状に膨らませた場合に下側取付け腕３２の係止突部３３１が把手取付け用凹部２の奥部にからまり易くなると共に下取付け腕３３の下面に接するボトル壁２１が厚さを保ち、外れにくくなる。
【００１４】
把手３の握り部３１の内側板３４と外側板３５とは板状なので、表面を平滑にして握った感触が滑らかになるように仕上げることができる。
【００１５】
該把手３の握り部３１からその上下の取付け腕３２，３３にかけてを、内側板３４と外側板３５とを中央リブ３６により連結した横断面Ｈ型構造とすることにより、把手３全体が軽量でありながら、十分な強度を有すると共に握り部３１は適度な弾性を有し、握った感触がソフトになり良好である。
【００１６】
横断面Ｈ型構造とすることにより、射出成形時に成形型を開放された側方一方向にのみ移動すればよいから射出成形型構造を単純とすることができる。
【００１７】
【発明の効果】
本発明によれば把手自体を薄く軽く仕上げることができ、握った感触が滑らかでソフトなものとなる共に把手の下取付け腕の端部の係止突部がボトル本体の凹部壁面となじみ易くなりボトル本体や把手に衝撃が加わったときでも極めて外れにくいものである。
【図面の簡単な説明】
【図１】本発明の把手付きプラスチックボトルの一例を示す一部切り欠いた正面図である。
【図２】本発明において使用される把手の一例を示す側面図である。
【図３】従来の把手付きプラスチックボトルの一部切欠いた側面図である。
【符号の説明】
１    ボトル本体
２    把手取付け用凹部
３    把手
４    パリソン
２１    凹部壁面
３１    握り部
３２    上部取付け腕
３３    下部取付け腕
３４    内側板
３５    外側板
３６    中央リブ
３２１，３３１    係止突部
３８    上取付け腕端面
３９    下取り付け腕端面
【図１】
0004080604.tif 000002
【図２】
0004080604.tif 000003
【図３】
0004080604.tif 000004